(57)【特許請求の範囲】
【請求項１】
クライアント端末とサーバとから構成され、コンテンツ情報を提供するコンテンツ提供システムであって、
前記クライアント端末は、
テキスト情報を取得する取得部と、
取得された前記テキスト情報を前記サーバに送信する端末送信部とを備え、
前記サーバは、
予め登録された登録テキスト情報と、当該登録テキスト情報に関連付けられた複数の登録コンテンツ情報と、前記登録テキスト情報及び前記登録コンテンツ情報に関連付けられた画像である登録アイコンとを記憶するとともに、前記登録アイコンの識別情報と、当該登録アイコンを取得したクライアント端末の識別情報とを関連付けたアイコン登録情報を記憶するサーバ記憶部と、
前記クライアント端末から前記テキスト情報を受信するサーバ受信部と、
前記サーバ受信部が受信した前記テキスト情報に対応する前記登録テキスト情報に関連付けられている前記複数の登録コンテンツ情報を特定する管理部と、
特定された前記複数の登録コンテンツ情報と、当該複数の登録コンテンツ情報に関連付けられている前記登録テキスト情報及び前記登録アイコンとを前記クライアント端末に送信するサーバ送信部と、
前記サーバ受信部が前記登録アイコンの削除を要求する削除要求情報を受信したことに応じて、前記アイコン登録情報に基づいて、前記登録アイコンを取得したクライアント端末を特定し、前記サーバ送信部を介して当該クライアント端末に前記削除要求情報を送信するサーバ削除制御部とを備え、
前記クライアント端末は、
前記サーバから、前記端末送信部が送信した前記テキスト情報に対応する前記登録コンテンツ情報、前記登録テキスト情報及び前記登録アイコンを受信する端末受信部と、
前記端末受信部が受信した前記登録テキスト情報及び前記登録アイコンを関連付けて記憶する端末記憶部と、
前記端末受信部が受信した前記登録コンテンツ情報を表示部に表示させる表示制御部と、
前記端末受信部が前記削除要求情報を受信したことに応じて、当該削除要求情報に対応する登録アイコン及び当該登録アイコンに関連付けられている前記登録テキスト情報を前記端末記憶部から削除する端末削除制御部とをさらに備える、
コンテンツ提供システム。
【請求項２】
前記サーバ記憶部は、前記複数の登録コンテンツ情報のそれぞれに、複数の前記登録テキスト情報を関連付けて記憶する、
請求項１に記載のコンテンツ提供システム。
【請求項３】
前記端末送信部は、複数の前記テキスト情報を前記サーバに送信し、
前記端末受信部は、前記端末送信部が送信した前記複数のテキスト情報に対応する前記登録コンテンツ情報を受信する、
請求項１又は２に記載のコンテンツ提供システム。
【請求項４】
前記表示制御部は、前記端末記憶部に記憶されている複数の前記登録アイコンを前記表示部に表示させ、
前記取得部は、前記表示部に表示されている複数の前記登録アイコンのうち一の登録アイコンが選択されると、選択された登録アイコンに関連付けられている前記登録テキスト情報を取得する、
請求項１から３のいずれか１項に記載のコンテンツ提供システム。
【請求項５】
前記サーバ削除制御部は、前記サーバ受信部が前記削除要求情報を受信したことに応じて、前記登録アイコン及び当該登録アイコンに関連付けられている前記登録コンテンツ情報の少なくともいずれかを削除する、
請求項１から４のいずれか１項に記載のコンテンツ提供システム。
【請求項６】
前記サーバ記憶部は、前記コンテンツ情報に、当該コンテンツ情報が課金の対象であるか否かを示す課金情報をさらに関連付けて記憶し、
前記サーバ削除制御部は、前記サーバ受信部が前記登録アイコンの削除を要求する削除要求情報を受信し、前記登録アイコンに対応する前記課金情報が前記課金の対象ではないことを示している場合に、当該登録アイコン及び当該登録アイコンに関連付けられている前記登録コンテンツ情報を削除するとともに、前記アイコン登録情報に基づいて、前記登録アイコンを取得した前記クライアント端末を特定し、前記サーバ送信部を介して当該クライアント端末に前記削除要求情報を送信し、前記登録アイコンに対応する前記課金情報が前記課金の対象であることを示している場合に、前記登録コンテンツ情報を削除せず、前記クライアント端末に前記削除要求情報を送信しない、
請求項１から５のいずれか１項に記載のコンテンツ提供システム。
【請求項７】
前記クライアント端末は、物品に付されている前記テキスト情報を含む画像を撮影する撮影部をさらに有し、
前記取得部は、前記撮影部により撮影された前記画像に埋め込まれている前記テキスト情報を取得する、
請求項１から６のいずれか１項に記載のコンテンツ提供システム。
【請求項８】
前記取得部は、前記テキスト情報に関連づけてコンテンツ情報を取得し、
前記端末送信部は、前記取得部が取得した前記コンテンツ情報及び前記テキスト情報と、当該コンテンツ情報及び当該テキスト情報を登録する旨を示す登録要求情報とを前記サーバに送信し、
前記サーバ受信部は、前記コンテンツ情報、前記テキスト情報、及び前記登録要求情報を受信し、
前記管理部は、受信した前記コンテンツ情報及び前記テキスト情報を、前記登録コンテンツ情報及び前記登録テキスト情報として前記サーバ記憶部に記憶させる、
請求項１から７のいずれか１項に記載のコンテンツ提供システム。
【請求項９】
前記サーバ記憶部は、前記複数の登録コンテンツ情報のそれぞれにアクセス可能な前記クライアント端末の識別情報を管理するアクセス管理情報をさらに記憶し、
前記端末送信部は、前記テキスト情報及び前記識別情報を前記サーバに送信し、
前記管理部は、前記特定した前記複数の登録コンテンツ情報から、前記アクセス管理情報に基づいて、受信した前記識別情報のクライアント端末が取得可能な登録コンテンツ情報をさらに特定する、
請求項１から８のいずれか１項に記載のコンテンツ提供システム。
【請求項１０】
予め登録された登録テキスト情報と、当該登録テキスト情報に関連付けられた複数の登録コンテンツ情報と、前記登録テキスト情報及び前記登録コンテンツ情報に関連付けられた画像である登録アイコンとを記憶するとともに、前記登録アイコンの識別情報と、当該登録アイコンを取得したクライアント端末の識別情報とを関連付けたアイコン登録情報を記憶するサーバ記憶部と、
クライアント端末からテキスト情報を受信するサーバ受信部と、
前記サーバ受信部が受信した前記テキスト情報に対応する前記登録テキスト情報に関連付けられている前記複数の登録コンテンツ情報を特定する管理部と、
特定された前記複数の登録コンテンツ情報と、当該複数の登録コンテンツ情報に関連付けられている前記登録テキスト情報及び前記登録アイコンとを前記クライアント端末に送信するサーバ送信部と、
前記サーバ受信部が前記登録アイコンの削除を要求する削除要求情報を受信したことに応じて、前記アイコン登録情報に基づいて、前記登録アイコンを取得したクライアント端末を特定し、前記サーバ送信部を介して当該クライアント端末に前記削除要求情報を送信するサーバ削除制御部と、
を備えるコンテンツ提供装置。
【請求項１１】
テキスト情報を取得する取得部と、
取得された前記テキスト情報をサーバに送信する端末送信部と、
前記サーバから、前記端末送信部が送信した前記テキスト情報に対応する登録コンテンツ情報、当該登録コンテンツ情報に関連付けられている登録テキスト情報、及び当該登録コンテンツ情報及び当該登録テキスト情報に関連付けられている画像である登録アイコンを受信する端末受信部と、
前記端末受信部が受信した前記登録テキスト情報及び前記登録アイコンを関連付けて記憶する端末記憶部と、
前記端末受信部が受信した前記登録コンテンツ情報を表示部に表示させる表示制御部と、
前記端末受信部が前記登録アイコンの削除を要求する削除要求情報を前記サーバから受信したことに応じて、当該削除要求情報に対応する登録アイコン及び当該登録アイコンに関連付けられている前記登録テキスト情報を前記端末記憶部から削除する端末削除制御部と、
を備えるコンテンツ閲覧端末。
【請求項１２】
コンピュータを、
テキスト情報を取得する取得部、
取得された前記テキスト情報をサーバに送信する端末送信部、
前記サーバから、前記端末送信部が送信した前記テキスト情報に対応する登録コンテンツ情報、当該登録コンテンツ情報に関連付けられている登録テキスト情報、及び当該登録コンテンツ情報及び当該登録テキスト情報に関連付けられた画像である登録アイコンを受信する端末受信部、
前記端末受信部が受信した前記登録テキスト情報及び前記登録アイコンを関連付けて端末記憶部に記憶させる記憶制御部、
前記端末受信部が受信した前記登録コンテンツ情報を表示部に表示させる表示制御部、及び
前記端末受信部が前記登録アイコンの削除を要求する削除要求情報を前記サーバから受信したことに応じて、当該削除要求情報に対応する登録アイコン及び当該登録アイコンに関連付けられている前記登録テキスト情報を前記端末記憶部から削除する端末削除制御部、
として機能させるためのコンテンツ閲覧用プログラム。
【発明の詳細な説明】
【技術分野】
【０００１】
本発明は、携帯端末にコンテンツを提供するコンテンツ提供システム、コンテンツ提供装置、コンテンツ閲覧端末及びコンテンツ閲覧用プログラムに関する。
【背景技術】
【０００２】
従来、物品に付されているＪＡＮコード等の１次元バーコードや、ＱＲコード（登録商標）等の２次元バーコードを携帯電話機が読み取り、読み取ったバーコードに含まれている情報に基づいて、サーバに格納されている物品の情報にアクセスする方法が開示されている。例えば、物品の情報を示すウェブページのＵＲＬを示す情報が含まれているバーコードを携帯電話機で読み取ることで、携帯電話機は、バーコードに対応する物品の情報が掲載されているウェブページにアクセスすることができる（例えば、特許文献１及び特許文献２を参照）。
【先行技術文献】
【特許文献】
【０００３】
【特許文献１】特開２００８−１４０２５３号公報
【特許文献２】特開２００８−２１７３４４号公報
【発明の概要】
【発明が解決しようとする課題】
【０００４】
従来の方法によれば、物品に付されているバーコードを読み取ることで、物品そのものの情報にアクセスすることができる。しかし、従来の方法では、同一のバーコードが付されている複数の物品がそれぞれ固有の情報を有している場合、携帯電話機は、これらの複数の異なる物品が有する固有の情報を取得することができなかった。【０００５】
例えば、ノートには、同一のバーコードが付されていても、所有者や用途に応じて異なる情報が記録されている。このように、個体ごとに固有の情報を有する物品の場合、物品に対して製造時に付されたＪＡＮコード等のバーコードを読み取るだけでは、これらの固有の情報にアクセスすることが困難であった。【０００６】
本発明はこれらの点に鑑みてなされたものであり、予め物品等に付されている識別情報によって特定することができない、個々の物品等が有する固有の情報にアクセスすることができるコンテンツ提供システム、コンテンツ提供装置、コンテンツ閲覧端末及びコンテンツ閲覧用プログラムを提供することを目的とする。
【課題を解決するための手段】
【０００７】
本発明の第１の態様においては、クライアント端末とサーバとから構成され、コンテンツ情報を提供するコンテンツ提供システムであって、前記クライアント端末は、画像に埋め込まれているテキスト情報を取得する取得部と、取得された前記テキスト情報をサーバに送信する端末送信部とを備え、前記サーバは、予め登録された登録テキスト情報と、当該登録テキスト情報に関連付けられた複数の登録コンテンツ情報とを記憶するサーバ記憶部と、前記クライアント端末から前記テキスト情報を受信するサーバ受信部と、前記サーバ受信部が受信した前記テキスト情報に対応する前記登録テキスト情報に関連付けられている前記複数の登録コンテンツ情報を特定する管理部と、特定された前記複数の登録コンテンツ情報の少なくともいずれかを前記クライアント端末に送信するサーバ送信部とを備え、前記クライアント端末は、前記サーバから、前記端末送信部が送信した前記テキスト情報に対応する前記登録コンテンツ情報を受信する端末受信部と、前記端末受信部が受信した前記登録コンテンツ情報を表示部に表示させる表示制御部とをさらに備える、コンテンツ提供システムを提供する。【０００８】
上記のコンテンツ提供システムでは、前記サーバ記憶部が、前記複数の登録コンテンツ情報のそれぞれに、複数の前記登録テキスト情報を関連付けて記憶してもよい。また、前記端末送信部は、複数の前記テキスト情報を前記サーバに送信し、前記端末受信部は、前記端末送信部が送信した前記複数のテキスト情報に対応する前記登録コンテンツ情報を受信してもよい。【０００９】
上記のコンテンツ提供システムでは、前記サーバ記憶部は、前記登録テキスト情報及び前記登録コンテンツ情報に関連付けられた画像である登録アイコンをさらに記憶し、前記サーバ送信部は、前記管理部が特定した前記複数の登録コンテンツ情報と、当該複数の登録コンテンツ情報に関連付けられている前記登録テキスト情報及び前記登録アイコンとを前記クライアント端末に送信し、前記端末受信部は、前記登録コンテンツ情報、前記登録テキスト情報及び前記登録アイコンを受信し、前記クライアント端末は、前記端末受信部が受信した前記登録テキスト情報及び前記登録アイコンを関連付けて記憶する端末記憶部をさらに有してもよい。【００１０】
上記のコンテンツ提供システムでは、前記表示制御部は、前記端末記憶部に記憶されている複数の前記登録アイコンを前記表示部に表示させ、前記取得部は、前記表示部に表示されている複数の前記登録アイコンのうち一の登録アイコンが選択されると、選択された登録アイコンに関連付けられている前記テキスト情報を取得してもよい。【００１１】
上記のコンテンツ提供システムでは、前記サーバ記憶部は、前記登録アイコンの識別情報と、当該登録アイコンを取得したクライアント端末の識別情報とを関連付けたアイコン登録情報を記憶し、前記サーバは、前記サーバ受信部が前記登録アイコンの削除を要求する削除要求情報を受信したことに応じて、前記アイコン登録情報に基づいて、前記登録アイコンを取得したクライアント端末を特定し、前記サーバ送信部を介して当該クライアント端末に前記削除要求情報を送信するサーバ削除制御部をさらに備え、前記クライアント端末は、前記端末受信部が前記削除要求情報を受信したことに応じて、当該削除要求情報に対応する登録アイコン及び当該登録アイコンに関連付けられているテキスト情報を前記端末記憶部から削除する端末削除制御部をさらに備えてもよい。また、前記サーバ削除制御部は、前記サーバ受信部が前記削除要求情報を受信したことに応じて、前記登録アイコン及び当該登録アイコンに関連付けられている前記登録コンテンツ情報の少なくともいずれかを削除してもよい。【００１２】
上記のコンテンツ提供システムでは、前記サーバ記憶部は、前記登録コンテンツ情報に、当該登録コンテンツ情報が課金の対象であるか否かを示す課金情報をさらに関連付けて記憶し、前記サーバ削除制御部は、前記サーバ受信部が前記登録アイコンの削除を要求する削除要求情報を受信し、前記登録アイコンに対応する前記課金情報が前記課金の対象ではないことを示している場合に、当該登録アイコン及び当該登録アイコンに関連付けられている前記登録コンテンツ情報を削除するとともに、前記アイコン登録情報に基づいて、前記登録アイコンを取得した前記クライアント端末を特定し、前記サーバ送信部を介して当該クライアント端末に前記削除要求情報を送信し、前記登録アイコンに対応する前記課金情報が前記課金の対象であることを示している場合に、前記登録コンテンツ情報を削除せず、前記クライアント端末に前記削除要求情報を送信しなくてもよい。【００１３】
上記のコンテンツ提供システムでは、前記クライアント端末は、物品等に付されている前記テキスト情報を含む画像を撮影する撮影部をさらに有し、前記取得部は、前記撮影部により撮影された前記画像に埋め込まれている前記テキスト情報を取得してもよい。【００１４】
上記のコンテンツ提供システムでは、前記取得部は、前記テキスト情報に関連づけてコンテンツ情報を取得し、前記端末送信部は、前記取得部が取得した前記コンテンツ情報及び前記テキスト情報と、当該コンテンツ情報及び当該テキスト情報を登録する旨を示す登録要求情報とを前記サーバに送信し、前記サーバ受信部は、前記コンテンツ情報、前記テキスト情報、及び前記登録要求情報を受信し、前記管理部は、受信した前記コンテンツ情報及び前記テキスト情報を、前記登録コンテンツ情報及び前記登録テキスト情報として前記サーバ記憶部に記憶させてもよい。【００１５】
上記のコンテンツ提供システムでは、前記サーバ記憶部は、前記複数の登録コンテンツ情報のそれぞれにアクセス可能な前記クライアント端末の識別情報を管理するアクセス管理情報をさらに記憶し、前記端末送信部は、前記テキスト情報及び前記識別情報を前記サーバに送信し、前記管理部は、前記特定した前記複数の登録コンテンツ情報から、前記アクセス管理情報に基づいて、受信した前記識別情報のクライアント端末が取得可能な登録コンテンツ情報をさらに特定してもよい。【００１６】
本発明の第２の態様においては、予め登録された登録テキスト情報と、当該登録テキスト情報に関連付けられた複数の登録コンテンツ情報とを記憶するサーバ記憶部と、クライアント端末からテキスト情報を受信するサーバ受信部と、前記サーバ受信部が受信した前記テキスト情報に対応する前記登録テキスト情報に関連付けられている前記複数の登録コンテンツ情報を特定する管理部と、特定された前記複数の登録コンテンツ情報の少なくともいずれかを前記クライアント端末に送信するサーバ送信部と、を備えるコンテンツ提供装置を提供する。【００１７】
本発明の第３の態様においては、画像に埋め込まれているテキスト情報を取得する取得部と、取得された前記テキスト情報をサーバに送信する端末送信部と、前記サーバから、前記端末送信部が送信した前記テキスト情報に対応する登録コンテンツ情報を受信する端末受信部と、前記端末受信部が受信した前記登録コンテンツ情報を表示部に表示させる表示制御部と、を備えるコンテンツ閲覧端末を提供する。【００１８】
本発明の第４の態様においては、コンピュータを、画像に埋め込まれているテキスト情報を取得する取得部、取得された前記テキスト情報をサーバに送信する端末送信部、前記サーバから、前記端末送信部が送信した前記テキスト情報に対応する登録コンテンツ情報を受信する端末受信部、及び前記端末受信部が受信した前記登録コンテンツ情報を表示部に表示させる表示制御部、として機能させるためのコンテンツ閲覧用プログラムを提供する。
【発明の効果】
【００１９】
本発明によれば、予め物品等に付されている識別情報によって特定することができない、個々の物品等が有する固有の情報にアクセスすることができるという効果を奏する。
【図面の簡単な説明】
【００２０】
【図１】第１の実施形態のコンテンツ提供システムの概要図である。
【図２Ａ】第１の実施形態のコンテンツ提供システムにおける画像と登録コンテンツ情報との関係を示す図（その１）である。
【図２Ｂ】第１の実施形態のコンテンツ提供システムにおける画像と登録コンテンツ情報との関係を示す図（その２）である。
【図３】第１の実施形態に係るコンテンツサーバの機能構成図である。
【図４】第１の実施形態に係る登録情報の説明図である。
【図５】第１の実施形態に係る登録情報の一例を示す図である。
【図６】第１の実施形態に係る携帯端末の機能構成図である。
【図７】第１の実施形態に係るコンテンツ提供システムにおいて、携帯端末が登録モードとして動作した場合の処理を示すシーケンス図である。
【図８】第１の実施形態に係るコンテンツ提供システムにおいて、携帯端末が検索モードとして動作した場合の処理を示すシーケンス図である。
【図９】第１の実施形態に係るコンテンツ提供システムにおいて、携帯端末が検索モードとして動作した場合の処理の別の例を示すシーケンス図である。
【図１０Ａ】第１の実施形態に係るテキスト情報を取得する例を示す図（その１）である。
【図１０Ｂ】第１の実施形態に係るテキスト情報を取得する例を示す図（その２）である。
【図１０Ｃ】第１の実施形態に係るテキスト情報を取得する例を示す図（その３）である。
【図１１】第１の実施形態に係る検索モードにおいて、複数の画像やテキスト情報を用いてコンテンツを検索する場合の例を示す図である。
【図１２】第２の実施形態に係る登録情報の一例を示す図である。
【図１３】第２の実施形態に係るコンテンツ提供システムにおいて、携帯端末が登録モードとして動作した場合の処理を示すシーケンス図である。
【図１４】第２の実施形態に係るコンテンツ提供システムにおいて、携帯端末が検索モードとして動作した場合の処理を示すシーケンス図である。
【図１５】第３の実施形態に係るアイコン登録情報の一例を示す図である。
【図１６】第３の実施形態に係るコンテンツ提供システムにおいて、携帯端末が削除モードとして動作した場合の処理を示すシーケンス図である。
【図１７】第４の実施形態に係る登録情報の一例を示す図である。
【発明を実施するための形態】
【００２１】
＜第１の実施形態＞
［コンテンツ提供システムＳの概要］
図１は、第１の実施形態のコンテンツ提供システムＳの概要図である。
コンテンツ提供システムＳは、コンテンツサーバ１と、クライアント端末としての携帯端末２（例えば、携帯端末２Ａ、２Ｂ）とから構成されている。コンテンツサーバ１は、コンテンツ提供装置として機能し、携帯端末２は、コンテンツ閲覧端末として機能する。コンテンツ提供システムＳは、携帯端末２において選択されたＪＡＮコード、ＱＲコード及びアイコン等の画像に対応する、予めコンテンツサーバ１に登録されたコンテンツ情報（以下、「登録コンテンツ情報」という）を携帯端末２に提供する。ここで、登録コンテンツ情報とは、例えば、携帯端末２において選択された画像又は当該画像に埋め込まれているテキスト情報に対応する物品等（物品、人、音楽、地域、テーマ、サービス等）に関連付けられている情報である。なお、登録コンテンツ情報となり得る情報は、上述した情報に限定されるものではなく、あらゆる情報が登録コンテンツ情報になり得る。
【００２２】
コンテンツサーバ１は、登録コンテンツ情報を管理するサーバである。コンテンツサーバ１は、ネットワークＮを介して携帯端末２と互いに通信可能に接続されている。ネットワークＮは、例えば、携帯電話回線及びインターネット網である。
【００２３】
携帯端末２は、例えば携帯電話機又はスマートフォンである。携帯端末２は、画像に埋め込まれているテキスト情報として、ＪＡＮコードやＱＲコード等のバーコードが示すテキスト情報を取得し、取得したテキスト情報をコンテンツサーバ１に送信する。また、携帯端末２は、コンテンツサーバ１に登録されている登録テキスト情報に関連付けられている登録アイコンを複数記憶しており、所定の操作が行われると、これらの複数の登録アイコンを表示する。携帯端末２は、表示されている複数の登録アイコンから、一の登録アイコンが選択されると、この登録アイコンに関連付けられているテキスト情報をコンテンツサーバ１に送信する。
【００２４】
コンテンツサーバ１は、携帯端末２からテキスト情報を受信すると、当該テキスト情報に関連付けられている１以上の登録コンテンツ情報を特定し、当該１以上の登録コンテンツ情報を携帯端末２に送信する。
携帯端末２は、１以上の登録コンテンツ情報をコンテンツサーバ１から受信すると、当該１以上の登録コンテンツ情報を表示する。
【００２５】
図２Ａ及び図２Ｂは、第１の実施形態のコンテンツ提供システムＳにおける画像と登録コンテンツ情報との関係を示す図である。コンテンツ提供システムＳでは、ＪＡＮコードやＱＲコード等のバーコードが示すテキスト情報に関連付けられた登録アイコンと登録コンテンツ情報とが関連付けられている。
【００２６】
例えば、コンテンツサーバ１は、図２Ａに示すように、ノートに付されたＪＡＮコード、及び当該ＪＡＮコードに対応する登録アイコンに関連付けられた登録コンテンツ情報として、製品の写真、製品の説明、製品の価格を記憶している。また、コンテンツサーバ１は、図２Ｂに示すように、人に割り当てられたＱＲコード、及び当該ＱＲコードに対応する登録アイコンに関連付けられた登録コンテンツ情報として、その人のプロフィール、住所・電話番号、写真集へのリンク、ブログへのリンクを記憶している。携帯端末２のユーザは、携帯端末２に表示されたメニューを用いて、これらの複数の登録コンテンツ情報のうち所望の登録コンテンツ情報を取得することができる。
【００２７】
［コンテンツサーバ１の構成例］
続いて、コンテンツサーバ１及び携帯端末２が備える機能について説明する。まず、コンテンツサーバ１の機能について説明する。図３は、第１の実施形態に係るコンテンツサーバ１の機能構成図である。
【００２８】
まず、コンテンツサーバ１の機能構成について説明する。コンテンツサーバ１は、図３に示すように、サーバ通信部１３と、サーバ記憶部１４と、サーバ制御部１５とを備える。
サーバ通信部１３は、例えば、ネットワークに接続するための通信コントローラである。コンテンツサーバ１は、サーバ通信部１３を介してネットワークＮに接続される。
【００２９】
サーバ記憶部１４は、例えば、ＲＯＭ及びＲＡＭ等により構成される。サーバ記憶部１４は、コンテンツサーバ１を機能させるための各種プログラムを記憶する。具体的には、サーバ記憶部１４は、予め登録された登録テキスト情報と、当該登録テキスト情報に関連付けられた複数の登録コンテンツ情報と、登録アイコンと、アイコンＩＤとを関連付けて、登録情報として記憶する。より具体的には、サーバ記憶部１４は、複数の登録コンテンツ情報のそれぞれに、複数の登録テキスト情報を関連付けて記憶する。また、サーバ記憶部１４は、外部メモリや光ディスク等の記憶媒体に記憶されたプログラムを読み取って記憶してもよく、ネットワークＮを介して外部装置からダウンロードされたプログラムを記憶してもよい。
【００３０】
図４は、第１の実施形態に係る登録情報の概要を示す図である。図５は、第１の実施形態に係る登録情報の説明図である。サーバ記憶部１４は、図４に示すように、一の物品等に対して、複数の登録コンテンツ情報を記憶している。例えば、図５に示すように、一の物品としての「ノート」に付与されているＪＡＮコードを示す「４９１２３４５６７８９０」に対して、それぞれノートの中身の画像情報である複数の登録コンテンツ情報「たかしノート」、「岡村の経済学」等が関連付けられている。
【００３１】
また、これらの登録コンテンツ情報には、図４及び図５に示すように、ＪＡＮコードの他に、１以上の登録テキスト情報が関連付けられている。すなわち、それぞれの登録コンテンツ情報には、１以上の登録テキスト情報が関連付けられている。例えば、登録コンテンツ情報「たかしノート」には、ＪＡＮコードの他に、製品番号を示す「ノート１０５Ｎ」や、登録コンテンツ情報を登録したユーザが自身の登録コンテンツ情報を識別するために付与した属性情報を示す「分子生物学」及び「２０１３前期」が関連付けられている。
【００３２】
また、サーバ記憶部１４は、上述したように、登録コンテンツ情報に関連付けられた登録アイコンと、関連付けて登録されるこれら情報を識別するためのアイコンＩＤとをさらに記憶する。登録情報には、サーバ記憶部１４に記憶されている登録アイコンのファイル名が関連付けられている。
【００３３】
サーバ制御部１５は、例えば、ＣＰＵにより構成される。サーバ制御部１５は、サーバ記憶部１４に記憶されている各種プログラムを実行することにより、コンテンツサーバ１に係る機能を統括的に制御する。サーバ制御部１５は、サーバ受信部及びサーバ送信部としてのサーバ受信部１５１と、管理部１５２と、サーバ送信部１５３とを備える。これらの機能については後述する。
【００３４】
［携帯端末２の構成例］
続いて、携帯端末２が備える基本的な機能について説明する。図６は、第１の実施形態に係る携帯端末２の機能構成図である。
携帯端末２は、図６に示すように、撮影部２１と、表示部２２と、入力部２３と、端末記憶部２４と、端末制御部２５とを備える。
【００３５】
撮影部２１は、レンズ及びＣＣＤ（電荷結合素子）等により構成される。撮影部２１は、端末制御部２５の制御に応じて、例えば、製品に付されているＪＡＮコード等の一次元バーコードや、広告等に付されているＱＲコード等の二次元バーコード等のバーコードを撮影する。また、撮影部２１は、コンテンツとしてコンテンツサーバ１に記憶される画像として、例えば、ノートの中身を撮影する。
【００３６】
表示部２２は、例えば、液晶ディスプレイや有機ＥＬディスプレイ等により構成される。表示部２２は、端末制御部２５の制御に応じて文字や図形等を表示する。
入力部２３は、例えば、ボタンや、表示部２２に重ねて設けられた接触センサ等により構成される。入力部２３は、携帯端末２のユーザから操作入力を受け付ける。
【００３７】
端末記憶部２４は、例えば、ＲＯＭ及びＲＡＭ等により構成される。端末記憶部２４は、携帯端末２を機能させるための各種プログラムを記憶する。端末記憶部２４は、外部メモリやＣＤ−ＲＯＭ等の記憶媒体に記憶されたコンテンツ閲覧用プログラムを読み取って記憶してもよく、ネットワークＮを介して外部装置からダウンロードされたコンテンツ閲覧用プログラムを記憶してもよい。端末記憶部２４は、登録テキスト情報に関連付けられている画像としての登録アイコンを複数記憶する。
【００３８】
端末制御部２５は、例えば、ＣＰＵ等のコンピュータとして機能するデバイスにより構成される。端末制御部２５は、端末記憶部２４に記憶されているコンテンツ閲覧用プログラムを実行することにより、携帯端末２に係る機能を統括的に制御する。端末制御部２５は、取得部２５１と、端末送信部及び端末受信部としての端末送信部２５２と、表示制御部２５４と、端末記憶制御部２５５とを備えており、登録モード又は検索モードで動作する。端末制御部２５が備える各機能については、後述する。
【００３９】
無線部２６は、携帯電話の基地局との間で、無線回線を介してデータを送受信する。具体的には、無線部２６は、端末送信部２５２が送信するデータを変調して無線回線を介して送信する。また、無線部２６は、無線回線を介して受信した無線信号を復調して、復調後のデータを端末受信部２５３に入力する。
【００４０】
［登録モードのシーケンス］
続いて、シーケンス図を交えながら、サーバ制御部１５及び端末制御部２５が備える機能の詳細について説明する。
まず、携帯端末２が登録モードとして動作する場合の処理について説明する。図７は、第１の実施形態に係るコンテンツ提供システムＳにおいて、携帯端末２が登録モードとして動作した場合の処理を示すシーケンス図である。
【００４１】
まず、取得部２５１は、例えば携帯端末２から登録すべきコンテンツを取得する（Ｓ１）。例えば、携帯端末２のユーザが入力部２３を介して、撮影部２１が撮影した画像、端末記憶部２４に記憶されている画像、又は端末送信部２５２を介して外部装置から取得した画像若しくはＷｅｂページ等を選択すると、取得部２５１は、選択された画像又はＷｅｂページ等をコンテンツとして取得する。なお、取得部２５１は、コンテンツがＷｅｂコンテンツである場合、当該Ｗｅｂコンテンツを取得する代わりに、当該Ｗｅｂコンテンツのアドレス又は当該アドレスを一意に特定可能なコードやテキスト等の識別情報を受け付けてもよい。
【００４２】
続いて、取得部２５１は、アイコンとして用いる画像を取得する（Ｓ２）。例えば、携帯端末２のユーザが入力部２３を介して、撮影部２１が撮影した画像、端末記憶部２４に記憶されている画像、又は端末送信部２５２を介して外部装置から取得した画像を選択すると、取得部２５１は、選択された画像をアイコンとして取得する。ここで、取得部２５１は、取得した画像のサイズ（例えば、縦方向及び横方向の画素数）が、予め定められているサイズに比べて大きい場合には、当該画像のサイズを予め定められているサイズに調整してもよい。なお、Ｓ２のアイコンを取得する処理が実行されなくてもよい。
【００４３】
続いて、取得部２５１は、画像に埋め込まれているテキスト情報を取得する（Ｓ３）。具体的には、取得部２５１は、図１０Ａに示されるように、物品に付されているＪＡＮコード等のバーコードを撮影部２１に撮影させて、撮影した画像を解析することにより、画像に埋め込まれているテキスト情報を取得する。また、取得部２５１は、図１０Ｃに示されるように、表示部２２に表示されている入力画面に入力されたテキスト情報を取得する。
なお、取得部２５１は、画像に埋め込まれているテキスト情報の他に、携帯端末２の位置を示すテキスト情報、日時を示すテキスト情報、携帯端末２を識別するテキスト情報、又は携帯端末２のユーザを識別するテキスト情報等を取得してもよい。
【００４４】
続いて、端末送信部２５２は、取得されたコンテンツ、アイコン、及びテキスト情報と、これらの情報の登録を要求する旨を示す登録要求情報とをコンテンツサーバ１に送信する。
続いて、コンテンツサーバ１のサーバ受信部１５１が、携帯端末２からコンテンツ、アイコン、テキスト情報、及び登録要求情報を受信すると、管理部１５２は、これらの受信した情報を一意に識別するためのアイコンＩＤを生成する（Ｓ４）。続いて、管理部１５２は、受信したコンテンツ、テキスト情報、及びアイコンと、生成したアイコンＩＤとを関連付けて登録情報としてサーバ記憶部１４に記憶させる（Ｓ５）。なお、管理部１５２は、アイコンＩＤに関連付けて、アイコンを登録した日時、携帯端末２を識別するテキスト情報、又は携帯端末２のユーザを識別するテキスト情報等をサーバ記憶部１４に記憶させてもよい。
【００４５】
続いて、サーバ送信部１５３は、コンテンツ、テキスト情報、及びアイコンの登録が完了した旨を示す登録完了情報を携帯端末２に送信する。端末送信部２５２が登録完了情報を受信すると、携帯端末２の表示制御部２５４は、当該登録完了情報を表示部２２に表示させる（Ｓ６）。
【００４６】
なお、管理部１５２は、Ｓ４においてアイコンＩＤを生成せずに、受信したテキスト情報に対応する登録テキスト情報がサーバ記憶部１４に記憶されていない場合に限定して登録情報を記憶させてもよい。この場合、管理部１５２は、受信したテキスト情報と同一の登録テキスト情報、又は受信したテキスト情報を含む登録テキスト情報がサーバ記憶部１４に記憶されているか否かを判定する。管理部１５２は、当該テキスト情報がサーバ記憶部１４に記憶されていないと判定した場合、受信したコンテンツ、テキスト情報、及びアイコンを関連付けて登録情報としてサーバ記憶部１４に記憶させる。また、管理部１５２が、当該テキスト情報がサーバ記憶部１４に記憶されていると判定すると、サーバ送信部１５３は、当該テキスト情報が既にサーバ記憶部１４に記憶されている旨を示すエラー情報を携帯端末２に送信する。携帯端末２の端末送信部２５２がエラー情報を受信すると、表示制御部２５４は、当該エラー情報を表示部２２に表示させる。
【００４７】
［検索モードのシーケンス］
続いて、携帯端末２が検索モードとして動作する場合の処理について説明する。図８は、第１の実施形態に係るコンテンツ提供システムＳにおいて、携帯端末２が検索モードとして動作した場合の処理を示すシーケンス図である。
【００４８】
まず、取得部２５１は、画像に埋め込まれているテキスト情報を取得する（Ｓ１１）。例えば、取得部２５１は、図１０Ａから図１０Ｃに示すいずれかの方法によってテキスト情報を取得する。
【００４９】
すなわち、取得部２５１は、図１０Ａに示されるように、物品に付され、物品を識別するためのＪＡＮコード等のバーコードを撮影部２１が撮影したことに応じて、撮影部２１により撮影された画像に埋め込まれているテキスト情報を取得する。
【００５０】
また、取得部２５１は、図１０Ｂに示されているように、アイコンに関連付けられているテキスト情報を取得する。具体的には、表示制御部２５４は、端末記憶部に記憶されている複数の登録アイコンを表示するアイコン画面を表示部２２に表示させる。取得部２５１は、表示部２２に表示されている複数の登録アイコンのうち、一の登録アイコンが選択されると当該登録アイコンに関連付けられているテキスト情報を取得する。
【００５１】
また、取得部２５１は、図１０Ｃに示されるように、表示部２２に表示されている入力画面に入力されたテキスト情報を取得する。
なお、取得部２５１は、図１０Ａから図１０Ｃに示される方法によってテキスト情報を取得する他に、画像に埋め込まれているテキスト情報の他に、携帯端末２の位置を示すテキスト情報、日時を示すテキスト情報、携帯端末２を識別するテキスト情報、又は携帯端末２のユーザを識別するテキスト情報等を取得してもよい。
【００５２】
続いて、端末送信部２５２は、Ｓ１１において取得されたテキスト情報をコンテンツサーバ１に送信する。
コンテンツサーバ１のサーバ受信部１５１がテキスト情報を受信すると、管理部１５２は、サーバ記憶部１４に記憶されている登録情報を参照して、受信したテキスト情報を含む登録テキスト情報に関連付けられている１以上の登録コンテンツ情報を特定する（Ｓ１２）。例えば、テキスト情報が「４９１２３４５６７８９０」である場合、管理部１５２は、当該文字列を含んでいる登録テキスト情報に関連付けられている登録コンテンツ情報を特定する。例えば、図５に示されている登録情報では、表示されている４つの登録コンテンツ情報が特定される。
【００５３】
続いて、サーバ送信部１５３は、特定された１以上の登録コンテンツ情報と、当該登録コンテンツ情報に関連付けられている登録テキスト情報及び登録アイコンとを携帯端末２に送信する。端末送信部２５２は、１以上の登録コンテンツ情報と、当該登録コンテンツ情報に関連付けられている登録テキスト情報及び登録アイコンをコンテンツサーバ１から受信する。続いて、表示制御部２５４は、受信した１以上の登録コンテンツ情報のいずれかをユーザが選択するための選択画面を表示部２２に表示させる（Ｓ１３）。例えば、表示制御部２５４は、受信した登録コンテンツ情報のコンテンツ名の一覧を選択画面に表示させる。
続いて、携帯端末２のユーザは、入力部２３を介して選択画面に表示されているコンテンツ名の一覧から、一のコンテンツ名を選択することにより、一の登録コンテンツ情報を選択する（Ｓ１４）。
【００５４】
続いて、表示制御部２５４は、受信した登録コンテンツ情報のうち選択された登録コンテンツ情報を表示部２２に表示させる（Ｓ１５）。
続いて、端末記憶制御部２５５は、選択された登録コンテンツ情報の登録アイコンが端末記憶部２４に記憶されているか否かを判定する（Ｓ１６）。端末記憶制御部２５５は、当該登録アイコンが端末記憶部２４に記憶されていないと判定すると、受信した登録テキスト情報及び当該登録アイコンを関連付けて端末記憶部２４に記憶させる（Ｓ１７）。
【００５５】
なお、図８に示すシーケンスにおいて、サーバ送信部１５３は、特定された１以上の登録コンテンツ情報と登録アイコンとを携帯端末２に送信したがこれに限らない。例えば、サーバ送信部１５３は、１以上の登録コンテンツ情報を選択するための選択画面を携帯端末２に送信してもよい。この場合のシーケンスについて以下に説明する。
図９は、第１の実施形態に係るコンテンツ提供システムＳにおいて、携帯端末２が検索モードとして動作した場合の処理の別の例を示すシーケンス図である。
【００５６】
図９では、取得部２５１は、はじめに、図８のＳ１１と同様に画像に埋め込まれているテキスト情報を取得し（Ｓ２１）、端末送信部２５２が当該テキスト情報を送信する。
続いて、コンテンツサーバ１のサーバ受信部１５１がテキスト情報を受信すると、管理部１５２は、サーバ記憶部１４に記憶されている登録情報を参照して、受信したテキスト情報を含む登録テキスト情報に関連付けられている１以上の登録コンテンツ情報を特定する（Ｓ２２）。
【００５７】
続いて、管理部１５２は、１以上の登録コンテンツ情報のいずれかを携帯端末２のユーザが選択するための選択画面を生成する（Ｓ２３）。ここで、選択画面には、１以上の登録コンテンツ情報それぞれを選択するためのコンテンツ名等の登録コンテンツ情報を識別する情報が含まれている。続いて、サーバ受信部１５１は、生成された選択画面を携帯端末２に送信する。なお、管理部１５２は、特定した登録コンテンツ情報が１つのみの場合、選択画面を生成せずに、当該登録コンテンツ情報を携帯端末２に送信してもよい。
【００５８】
続いて、携帯端末２の端末送信部２５２が選択画面を受信すると、表示制御部２５４は、表示部２２に選択画面を表示させる（Ｓ２４）。続いて、携帯端末２のユーザが、入力部２３を介して選択画面から一の登録コンテンツ情報を選択すると（Ｓ２５）、端末送信部２５２は、選択された登録コンテンツ情報のコンテンツ名をコンテンツサーバ１に送信する。
【００５９】
続いて、コンテンツサーバ１のサーバ受信部１５１がコンテンツ名を受信すると、管理部１５２は、当該コンテンツ名を有する登録コンテンツ情報を特定する（Ｓ２６）。続いて、サーバ受信部１５１は、特定された登録コンテンツ情報と、当該登録コンテンツ情報に関連付けられている登録テキスト情報及び登録アイコンを携帯端末２に送信する。
【００６０】
続いて、携帯端末２の端末送信部２５２が登録コンテンツ情報を受信すると、表示制御部２５４は、受信した登録コンテンツ情報を表示部２２に表示させる（Ｓ２７）。
続いて、端末記憶制御部２５５は、受信した登録アイコンが端末記憶部２４に記憶されているか否かを判定する（Ｓ２８）。端末記憶制御部２５５は、当該登録アイコンが端末記憶部２４に記憶されていないと判定すると、受信した登録テキスト情報及び当該登録アイコンを関連付けて端末記憶部２４に記憶させる（Ｓ２９）。
【００６１】
［複数の画像やテキスト情報を用いた検索］
続いて、図１１を参照しながら、検索モードにおいて、複数の画像やテキスト情報を用いて検索する場合の説明を行う。図１１は、検索モードにおいて、複数の画像やテキスト情報を用いて登録コンテンツ情報を検索する場合の例を示す図である。
例えば、図１１に示すように、携帯端末２のユーザが、撮影部２１によってノートに付されているＪＡＮコードと、名刺に付されているＱＲコードとを撮影すると、取得部２５１は、テキスト情報として、「４９２３４５６７８９０」及び「山田太郎」を取得する。また、取得部２５１は、入力画面を介して、テキスト情報「物理」を取得する。
【００６２】
この場合、端末送信部２５２は、取得部２５１が取得した複数のテキスト情報「４９２３４５６７８９０、山田太郎、物理」をコンテンツサーバ１に送信する。コンテンツサーバ１のサーバ受信部１５１が該テキスト情報を受信すると、管理部１５２は、当該複数のテキスト情報の全てが含まれている登録テキスト情報に関連する登録コンテンツ情報を特定する。図５に示す登録情報では、登録コンテンツ情報「講座準備ノート」が特定される。
【００６３】
サーバ送信部１５３は、特定した登録コンテンツ情報「講座準備ノート」を携帯端末２に送信する。端末受信部２５３は、端末送信部２５２が送信した複数のテキスト情報「４９２３４５６７８９０、山田太郎、物理」に対応する登録コンテンツ情報「講座準備ノート」を受信する。
【００６４】
このように、携帯端末２のユーザは、複数の画像、複数のアイコン及び複数のテキスト情報のいずれか任意の数を組み合わせて検索することにより、１つのＪＡＮコードに関連付けられた複数の登録コンテンツ情報がコンテンツサーバ１に記憶されている場合であっても、選択画面により登録コンテンツ情報を選択することなく、所望の登録コンテンツ情報を容易に取得することができる。
【００６５】
なお、取得部２５１は、ユーザが複数の登録アイコンを重ね合わせる操作をした場合に、重ね合わせられた複数の登録アイコンのそれぞれに関連付けられた複数の登録テキスト情報を取得してもよい。例えば、端末記憶部２４に、「山田太郎」の「物理」のノートに対応する第１の登録アイコンと、「山田太郎」の「２０１３年」のノートに対応する第２の登録アイコンとが記憶されている場合、ユーザが、第１の登録アイコンと第２の登録アイコンとを重ね合わせると、取得部２５１は、複数のテキスト情報として、「山田太郎、物理、２０１３年」を取得する。端末送信部２５２は、当該複数の登録テキスト情報をコンテンツサーバ１に送信する。その結果、端末受信部２５３は、「山田太郎」の「２０１３年」の「物理」のノートの登録コンテンツ情報を受信できる。
【００６６】
［第１の実施形態の効果］
以上、本実施形態によれば、コンテンツ提供システムＳでは、携帯端末２がテキスト情報をコンテンツサーバ１に送信すると、コンテンツサーバ１が当該テキスト情報に関連付けられている複数の登録コンテンツ情報を特定し、当該複数の登録コンテンツ情報の少なくともいずれかを携帯端末２に送信する。そして、携帯端末２は、コンテンツサーバ１から複数の登録コンテンツ情報の少なくともいずれかを受信し、受信した登録コンテンツ情報を表示部２２に表示する。
【００６７】
したがって、コンテンツ提供システムＳは、同一の製品等の物品に関連する複数の登録コンテンツ情報が存在する場合であっても、所望の登録コンテンツ情報を特定して携帯端末２に表示させることができる。すなわち、コンテンツ提供システムＳは、ＪＡＮコードを示すバーコードのような予め物品等に付されている識別情報によって特定することができない、個々の物品等が有する固有の情報にアクセスすることができる。
【００６８】
また、コンテンツ提供システムＳにおいて、携帯端末２の取得部２５１は、撮影部２１によって撮影された画像から抽出されたテキスト情報を取得するので、携帯端末２のユーザは、テキスト情報を手動で入力することなく単純な操作で入力することができる。
【００６９】
また、コンテンツ提供システムＳにおいて、携帯端末２の取得部２５１は、端末記憶部２４に記憶されている登録アイコンを選択することで、一の登録コンテンツ情報に関連付けられている登録テキスト情報を取得するので、携帯端末２のユーザは、登録アイコンを選択するだけで、所望する登録コンテンツ情報を選択して閲覧することができる。
【００７０】
また、コンテンツ提供システムＳにおいて、携帯端末２は、コンテンツサーバ１から登録コンテンツ情報とともに受信した登録アイコンを端末記憶部２４に記憶するので、携帯端末２のユーザは、登録アイコンを選択するだけで一度閲覧したコンテンツを閲覧することができる。
【００７１】
＜第２の実施形態＞
［流通させる登録アイコンの使用可能範囲を規定する］
続いて、第２の実施形態について説明する。第２の実施形態は、流通させる登録アイコンの使用可能範囲を規定する点で第１の実施形態と異なり、その他の点では同じである。なお、第１の実施形態と同様の処理については、説明を省略する。
【００７２】
図１２は、第２の実施形態に係る登録情報の一例を示す図である。
第２の実施形態において、サーバ記憶部１４に記憶されている登録情報には、図１２に示されるように、登録コンテンツ情報を登録したユーザの識別情報であるユーザＩＤと、開示範囲とがさらに関連付けられている。ここで、ユーザＩＤは、例えば、携帯端末２の固有識別情報、電話番号、それぞれのユーザに固有のニックネーム、又はメールアドレスである。
【００７３】
また、サーバ記憶部１４は、複数の登録コンテンツ情報のそれぞれについて、当該登録コンテンツ情報にアクセス可能な携帯端末２の識別情報を管理するアクセス管理情報をさらに記憶する。アクセス管理情報は、例えば、携帯端末２のユーザの電話帳情報等のアドレス情報である。このアドレス情報では、当該アドレス情報の持ち主であるユーザのユーザＩＤと、当該ユーザと関わりがある複数のユーザＩＤとが関連付けて記憶されている。
【００７４】
なお、アクセス管理情報は、他の情報であってもよい。例えば、携帯端末２のユーザから、当該ユーザと関わりのあるユーザのユーザＩＤを受け付け、携帯端末２のユーザのユーザＩＤと、受け付けたユーザＩＤとを関連付けてアクセス管理情報としてもよい。また、外部のＳＮＳサービス等において記憶されている、一のユーザＩＤに対して複数のユーザＩＤが関連付けられているお友達リストを、アクセス管理情報として記憶してもよい。また、アクセス管理情報は、他の識別可能な情報で代替させ、又は、他の識別可能な情報との組み合わせで携帯端末２を特定してもよい。例えば、識別子００１の携帯端末２を使用するユーザＡが、識別子００１の携帯端末２に代えて識別子００２の携帯端末２でログインして使用した場合、識別子００１の携帯端末２に代えて識別子００２の携帯端末２をアクセス管理の対象として特定し制限してもよい。
【００７５】
［登録モードのシーケンス］
続いて、登録モードのシーケンスについて説明する。図１３は、第２の実施形態に係るコンテンツ提供システムＳにおいて、携帯端末２が登録モードとして動作した場合の処理を示すシーケンス図である。
【００７６】
Ｓ３１からＳ３３の処理は、第１の実施形態の図７におけるＳ１からＳ３の処理と同様であるので説明を省略する。
続いて、取得部２５１は、例えば、携帯端末２に登録されているユーザＩＤを取得する（Ｓ３４）。続いて、取得部２５１は、開示範囲情報を取得する（Ｓ３５）。例えば、携帯端末２のユーザが、入力部２３を介して「友人」又は「全て」を選択すると、取得部２５１は、選択された情報を開示範囲情報として取得する。ここで、「友人」を選択すると、開示範囲は、アクセス管理情報において、携帯端末２のユーザと関連付けられている他のユーザに限定される。また、「全て」を選択すると、開示範囲は限定されない。
【００７７】
続いて、端末送信部２５２は、取得部２５１が取得した、コンテンツ、アイコン、テキスト情報、ユーザＩＤ、開示範囲情報及びこれらの情報の登録を要求する旨を示す登録要求情報をコンテンツサーバ１に送信する。
Ｓ３６からＳ３８までの処理は、第１の実施形態の図７におけるＳ４からＳ６の処理と同様であるので、説明を省略する。
【００７８】
［検索モードのシーケンス］
続いて、シーケンス図を交えながら、検索モードのシーケンスについて説明する。図１４は、第２の実施形態に係るコンテンツ提供システムＳにおいて、携帯端末２が検索モードとして動作した場合の処理を示すシーケンス図である。
【００７９】
Ｓ４１の処理は、第１の実施形態の図８におけるＳ１１の処理と同様であるので説明を省略する。
続いて、取得部２５１は、例えば、携帯端末２に登録されているユーザＩＤを取得する（Ｓ４２）。
続いて、端末送信部２５２は、Ｓ４１及びＳ４２において取得されたテキスト情報及びユーザＩＤを送信する。
【００８０】
コンテンツサーバ１のサーバ受信部１５１がテキスト情報を受信すると、管理部１５２は、サーバ記憶部１４に記憶されている登録情報を参照して、受信したテキスト情報を含む登録テキスト情報に関連付けられている１以上の登録コンテンツ情報を特定する。そして、管理部１５２は、特定した１以上の登録コンテンツ情報から、サーバ記憶部１４に記憶されているアクセス管理情報に基づいて、受信したユーザＩＤの携帯端末２が取得可能な登録コンテンツ情報をさらに特定する（Ｓ４３）。
【００８１】
具体的には、管理部１５２は、受信したテキスト情報と登録テキスト情報とに基づいて１以上の登録コンテンツ情報を特定すると、登録情報において、これらの１以上の登録コンテンツ情報のそれぞれに関連付けられているユーザＩＤ及び開示範囲情報を特定する。
そして、開示範囲情報が「友人」である登録コンテンツ情報について、管理部１５２は、当該登録コンテンツ情報に関連付けられているユーザＩＤが、受信したユーザＩＤと関連付けられているか否かについて、アクセス管理情報に基づいて判定することで、さらなる特定を行う。
【００８２】
すなわち、管理部１５２は、アクセス管理情報を参照して、開示範囲情報「友人」に関連付けられているユーザＩＤのうち、受信したユーザＩＤに関連付けられているユーザＩＤをさらに特定し、当該ユーザＩＤに関連付けられている、上記特定された登録コンテンツ情報を送信対象とする。なお、特定された登録コンテンツ情報のうち、開示範囲情報が「全て」である登録コンテンツ情報については、さらに特定することなく送信対象とされる。
【００８３】
続いて、サーバ送信部１５３は、第１実施形態と同様に、管理部１５２が特定した１以上の登録コンテンツ情報と、当該登録コンテンツ情報に関連付けられている登録テキスト情報及び登録アイコンとを携帯端末２に送信する。
Ｓ４４からＳ４８までの処理は、第１の実施形態の図８におけるＳ１３からＳ１７の処理と同様であるので、説明を省略する。
【００８４】
［第２の実施形態の効果］
以上、本実施形態によれば、コンテンツ提供システムＳでは、コンテンツサーバ１の管理部１５２は、特定した１以上のコンテンツ情報から、前記アクセス管理情報に基づいて、受信したユーザＩＤに対応する携帯端末が取得可能な登録コンテンツ情報をさらに特定する。したがって、コンテンツを登録したユーザは、登録コンテンツ情報の内容を第三者に知られることなく、自身に関連する他のユーザに限定して登録コンテンツ情報を提供することができるので、安心してコンテンツを登録することができる。
【００８５】
＜第３の実施形態＞
［端末記憶部２４に記憶されているアイコンを削除する］
続いて、第３の実施形態について説明する。第３の実施形態は、コンテンツを登録したユーザが登録コンテンツ情報を削除したことに応じて、当該登録コンテンツ情報を過去に閲覧したことによって端末記憶部２４に記憶されている登録アイコンを削除する点で第２の実施形態と異なり、その他の点では同じである。なお、第３の実施形態においては、登録コンテンツ情報が削除されたことに応じて端末記憶部２４に記憶されている登録アイコンを削除する例について説明するが、登録アイコンを削除せずに残した状態としてもよい。例えば、コンテンツ提供システムＳは、ユーザの操作に応じて登録アイコンに関連付けられた登録コンテンツ情報を削除した後に、当該アイコンに関連付けて、他のコンテンツ情報を登録することもできる。
【００８６】
第３の実施形態において、サーバ記憶部１４は、登録アイコンの識別情報と、当該登録アイコンを取得した携帯端末２のユーザＩＤとを関連付けたアイコン登録情報を記憶する。図１５は、第３の実施形態に係るアイコン登録情報の一例を示す図である。図１５に示されているように、アイコンＩＤは、例えば登録アイコンのファイル名であり、アイコンＩＤには、当該登録アイコンに関連付けられた登録コンテンツ情報を閲覧し、端末記憶部２４に登録アイコンが記憶されている携帯端末２のユーザＩＤが関連付けられている。
第３の実施形態において、携帯端末２は、登録モード及び検索モードの他に、削除モードのいずれかで動作する。
【００８７】
登録モードにおけるコンテンツ提供システムＳの動作は、第２の実施形態と同様であるので説明を省略する。
続いて、携帯端末２が検索モードで動作している場合について説明する。携帯端末２が、受信したコンテンツを表示する場合において、端末記憶制御部２５５が、登録アイコンを端末記憶部２４に記憶させると、端末送信部２５２は、当該登録アイコンのアイコンＩＤとユーザＩＤとをコンテンツサーバ１に送信する。
【００８８】
続いて、サーバ受信部１５１がアイコンＩＤとユーザＩＤとを受信すると、管理部１５２は、受信したアイコンＩＤと、ユーザＩＤとを関連付けてアイコン登録情報として記憶させる。
【００８９】
続いて、削除モードにおけるコンテンツ提供システムＳの動作について説明する。図１６は、第３の実施形態に係るコンテンツ提供システムＳにおいて、携帯端末２が削除モードとして動作した場合の処理を示すシーケンス図である。ここでは、携帯端末２Ａのユーザが登録したコンテンツを削除したことに応じて、携帯端末２Ｂに記憶されている、当該登録コンテンツ情報に対応する登録アイコンが削除される例を用いて説明を行う。
【００９０】
まず、取得部２５１は、携帯端末２Ａのユーザから、入力部２３を介して携帯端末２Ａに登録されている登録アイコンのアイコンＩＤを取得する（Ｓ５１）。
続いて、取得部２５１は、ユーザＩＤを取得する（Ｓ５２）。
続いて、端末送信部２５２は、取得されたアイコンＩＤ及びユーザＩＤと、登録アイコン及び当該登録アイコンに関連付けられた登録コンテンツ情報の削除を要求する削除要求情報を送信する。
【００９１】
続いて、管理部１５２は、サーバ削除制御部として動作し、サーバ受信部１５１がアイコンＩＤ、ユーザＩＤ、及び削除要求情報を受信したことに応じて、登録アイコンを削除する（Ｓ５４）。具体的には、管理部１５２は、サーバ記憶部１４に記憶されている登録情報を参照し、登録情報において、受信したアイコンＩＤに関連するユーザＩＤが、受信したユーザＩＤと一致している場合に、当該アイコンＩＤに関連する登録アイコン及び登録コンテンツ情報を削除する。なお、管理部１５２は、登録アイコンを削除せずに、アイコンＩＤに関連する登録コンテンツ情報のみ削除してもよい。
【００９２】
そして、管理部１５２は、アイコン登録情報に基づいて、登録アイコンを取得した携帯端末２を特定する（Ｓ５５）。図１６に示される例では、携帯端末２Ｂが特定される。続いて、管理部１５２は、サーバ受信部１５１を介して携帯端末２Ｂに削除要求情報を送信する。
【００９３】
続いて、携帯端末２Ｂの端末記憶制御部２５５は、端末削除制御部として機能し、端末送信部２５２が削除要求情報を受信したことに応じて、当該削除要求情報に対応する登録アイコン及び当該登録アイコンに関連付けられている登録テキスト情報を端末記憶部２４から削除する（Ｓ５６）。なお、端末記憶制御部２５５は、登録アイコンを削除せずに、当該登録アイコンに関連付けられている登録テキスト情報のみ削除してもよいので、例えば、削除されずに残った登録アイコンに対して、新たに情報を関連付けて登録アイコンを再利用することができる。
【００９４】
［第３の実施形態の効果］
以上、本実施形態によれば、コンテンツ提供システムＳでは、携帯端末２に記憶されている登録アイコンのうち、登録コンテンツ情報が削除されたことによって不要となった登録アイコンを確実に削除することができる。また、コンテンツ提供システムＳでは、端末記憶制御部２５５が、登録アイコンを削除せずに、当該登録アイコンに関連付けられている登録テキスト情報のみ削除することで、例えば、削除されずに残った登録アイコンに対して新たに登録コンテンツ情報を関連付けて、当該登録アイコンを再利用することができる。
【００９５】
＜第４の実施形態＞
［課金対象のコンテンツの削除を規制する］
続いて、第４の実施形態について説明する。第４の実施形態は、登録コンテンツ情報の少なくとも一部が課金によって提供されるものであり、課金対象とされている登録コンテンツ情報の削除を規制する点で第３の実施形態と異なり、その他の点では同じである。
【００９６】
第４の実施形態において、サーバ記憶部１４の登録情報は、登録コンテンツ情報に、当該コンテンツが課金の対象であるか否かを示す課金情報をさらに関連付けて記憶する。図１７は、第４の実施形態に係る登録情報の一例を示す図である。第４の実施形態において、サーバ記憶部１４に記憶されている登録情報には、図１７に示されるように、登録コンテンツ情報が課金の対象であるか否かを示す課金情報としての課金額が関連付けられている。
【００９７】
第４の実施形態の携帯端末２は、第３の実施形態と同様に、登録モード、検索モード、及び、削除モードのいずれかで動作する。
携帯端末２が登録モードで動作している場合、携帯端末２の取得部２５１は、コンテンツ、アイコン、テキスト情報の他に、課金額を取得する。端末送信部２５２は、取得したコンテンツ、アイコン、テキスト情報及び課金額と、登録要求情報とをコンテンツサーバ１に送信する。
コンテンツサーバ１のサーバ受信部１５１は、コンテンツ、アイコン、テキスト情報、課金額及び登録要求情報を受信したことに応じて、これらの情報を登録情報として記憶させる。
【００９８】
携帯端末２が検索モードで動作している場合、携帯端末２が、コンテンツサーバ１において特定された１以上の登録コンテンツ情報のいずれかを閲覧すると、携帯端末２のユーザは、当該登録コンテンツ情報に関連付けられている課金額に基づいて支払いを行う。例えば、携帯端末２のユーザは、携帯端末２においてクレジットカード決済に係る処理を行うことにより、支払いを行う。
【００９９】
携帯端末２が削除モードで動作している場合において、コンテンツサーバ１のサーバ受信部１５１は、携帯端末２から、アイコンＩＤ、ユーザＩＤ及びアイコンの削除を要求する削除要求情報を受信する。続いて、管理部１５２は、サーバ記憶部１４に記憶されている登録情報を参照して、当該登録アイコンに対応する登録コンテンツ情報が課金の対象であるか否かを判定する。
【０１００】
管理部１５２は、課金の対象でないことを示している場合、すなわち課金額が０の場合に、登録情報から当該登録アイコン及び当該登録アイコンに関連付けられている登録コンテンツ情報を削除する。そして、管理部１５２は、アイコン登録情報に基づいて、登録アイコンを取得した携帯端末２を特定し、サーバ受信部１５１を介して当該携帯端末２に削除要求情報を送信する。また、管理部１５２は、登録コンテンツ情報が課金の対象である場合、コンテンツサーバ１に記憶されている登録コンテンツ情報を削除せず、サーバ送信部１５３を介して当該携帯端末２に削除要求情報を送信しない。
【０１０１】
［第４の実施形態の効果］
以上、本実施形態によれば、コンテンツ提供システムＳでは、課金対象の登録コンテンツ情報を登録したユーザが登録コンテンツ情報の削除を要求してもコンテンツの削除を行わないので、当該登録コンテンツ情報を購入したユーザが不利益を被ることを防止することができる。
【０１０２】
なお、本実施形態では、課金情報に基づいて、登録コンテンツ情報を削除するか否かを判定したが、登録コンテンツ情報の一部のみを削除してもよい。例えば、所定の製品の登録コンテンツ情報が、当該製品のメーカーによる公式情報と、当該商品に対する口コミ情報とから構成されている場合に、公式情報と口コミ情報とのそれぞれについて課金情報を設定しておいてもよい。そして、口コミ情報のみが課金対象である場合に、当該メーカーが登録コンテンツ情報を削除するとき、当該登録コンテンツ情報のうち、課金対象でない公式情報のみを削除し、課金対象である口コミ情報を削除しないようにしてもよい。
【０１０３】
また、本実施形態では、課金対象であるかを示す「課金情報」に基づいて、コンテンツの削除を制限する例について説明したが、他の項目に基づいてコンテンツの削除を制限してもよい。例えば、コンテンツが重要であるか否かを示す「重要性フラグ」や、コンテンツが特別なものであるか否かを示す「フラグ情報」に基づいてコンテンツの削除を制限してもよい。また、登録コンテンツ情報が公式情報であるか否かを示す「公式フラグ情報」に基づいて、コンテンツの削除を制限してもよい。また、「公式フラグ情報」が公式情報を示している場合に、公式情報ではないコンテンツと異なる画面表示をしたうえで、コンテンツの削除を制限してもよい。
【０１０４】
以上、本発明を実施の形態を用いて説明したが、本発明の技術的範囲は上記実施の形態に記載の範囲には限定されない。また、上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１０５】
例えば、サーバ記憶部１４に記憶される登録情報に、テキスト情報として、所定の位置を示す位置情報又は日時を示す日時情報を記憶しておき、携帯端末２の取得部２５１が、自身の位置を示す位置情報又は現在時刻をテキスト情報として取得してもよい。このようにすることで、コンテンツ提供システムＳは、携帯端末２の位置に応じて登録コンテンツ情報を提供したり、時間に応じて登録コンテンツ情報を提供したりすることができる。
【符号の説明】
【０１０６】
１・・・コンテンツサーバ、１３・・・サーバ通信部、１４・・・サーバ記憶部、１５・・・サーバ制御部、１５１・・・サーバ受信部、１５２・・・管理部、１５３・・・サーバ送信部、２・・・携帯端末、２１・・・撮影部、２２・・・表示部、２３・・・入力部、２４・・・端末記憶部、２５・・・端末制御部、２６・・・無線部、２５１・・・取得部、２５２・・・端末送信部、２５３・・・端末受信部、２５４・・・表示制御部、２５５・・・端末記憶制御部、Ｓ・・・コンテンツ提供システム
【要約】
【課題】予め物品等に付されている識別情報によって特定することができない、個々の物品が有する固有の情報にアクセスする。
【解決手段】携帯端末２は、画像に埋め込まれているテキスト情報を取得してコンテンツサーバ１に送信する。コンテンツサーバ１は、携帯端末２からテキスト情報を受信すると、サーバ記憶部を参照して、当該テキスト情報に対応する登録テキスト情報に関連付けられている複数の登録コンテンツ情報を特定し、特定された複数の登録コンテンツ情報の少なくともいずれかを携帯端末２に送信する。携帯端末２は、登録コンテンツ情報を受信すると、当該登録コンテンツ情報を表示部に表示させる。【図１】
0005554456.tif 000002
【図２Ａ】
0005554456.tif 000003
【図２Ｂ】
0005554456.tif 000004
【図３】
0005554456.tif 000005
【図４】
0005554456.tif 000006
【図５】
0005554456.tif 000007
【図６】
0005554456.tif 000008
【図７】
0005554456.tif 000009
【図８】
0005554456.tif 000010
【図９】
0005554456.tif 000011
【図１０Ａ】
0005554456.tif 000012
【図１０Ｂ】
0005554456.tif 000013
【図１０Ｃ】
0005554456.tif 000014
【図１１】
0005554456.tif 000015
【図１２】
0005554456.tif 000016
【図１３】
0005554456.tif 000017
【図１４】
0005554456.tif 000018
【図１５】
0005554456.tif 000019
【図１６】
0005554456.tif 000020
【図１７】
0005554456.tif 000021